(57)【要約】【課題】凝縮器の大きさを大型化することなく効率的に冷却し除湿効果を確保することのできる除湿機を提供する。【解決手段】除湿本体２に第１の吹出口３と第２の吹出口４を備え、本体２内部にコンデンサ８とエバポレータ９からなる冷凍サイクルと第１の送風ファン１０と第１のダンパー１１と第２の送風ファン１２と第２のダンパー１３を備え、蒸発器側送風経路１９と凝縮器側送風経路２０を独立して設け、エバポレータ９側で熱交換した空気は冷風、コンデンサ８側で熱交換した空気は温風として第１の吹出口３あるいは第２の吹出口４から排出し、蒸発器側送風経路１９のエバポレータ９の下流側に凝縮器送風経路２０のコンデンサ８の上流側に合流するバイパス経路３０を設けたことで、コンデンサ８のサイズを大型化することなく効果的に冷却し、除湿能力を確保することができるので、製品の小型化及びコスト削減を図ることができる。【選択図】図４
2010194403.tif 000002
【特許請求の範囲】
【請求項１】
本体に凝縮器と蒸発器とを備え、前記蒸発器と前記凝縮器の送風経路をそれぞれ独立して設けた除湿機において、
前記蒸発器側送風経路の前記蒸発器の下流側に前記凝縮器側送風経路の前記凝縮器の上流側に合流するバイパス経路を設けたことを特徴とする除湿機。
【発明の詳細な説明】
【技術分野】
【０００１】
本発明は、複数の送風経路を備えた除湿機に関する。
【背景技術】
【０００２】
除湿機の従来技術としては、必要に応じて排気できるように蒸発器と凝縮器と複数の送風経路を設け、この凝縮器については気体で熱交換するため大型のものを用いて除湿能力を確保するようにしていた。（特許文献１）。
【先行技術文献】
【特許文献】
【０００３】
【特許文献１】特開２００８−２０７１０８号公報
【発明の開示】
【発明が解決しようとする課題】
【０００４】
しかしながら、このように複数の送風経路にした場合、除湿能力を確保する為に除湿機能のみの除湿機に対して凝縮器を大型化しなければならず、本体サイズが大型化する課題があった。
【０００５】
本発明は、上記問題点を解決して、凝縮器の大きさを大型化することなく効率的に熱交換し除湿効果を確保することのできる除湿機を提供することを目的とする。
【課題を解決するための手段】
【０００６】
請求項１の発明の除湿機では、本体に凝縮器と蒸発器とを備え、前記蒸発器と前記凝縮器の送風経路をそれぞれ独立して設けた除湿機において、前記蒸発器側送風経路の前記蒸発器の下流側に前記凝縮器側送風経路の前記凝縮器の上流側に合流するバイパス経路を設けたことを特徴とする。
【発明の効果】
【０００７】
請求項１の発明によれば、蒸発器で熱交換された気体の一部をバイパス経路を介して凝縮器側送風経路の上流側に導入することで、凝縮器のサイズを大型化することなく効果的に熱交換し、除湿能力を確保することができるので、製品の小型化及びコスト削減を図ることができる。
【図面の簡単な説明】
【０００８】
【図１】本発明の第１実施例を示す除湿機の正面斜視図である。
【図２】同上、除湿機の背面斜視図である。
【図３】同上、除湿機の内部構造を示す斜視図である。
【図４】同上、図３における要部拡大斜視図である
【図５】同上、図３におけるＡ−Ａ断面方向の送風経路の模式図である。
【図６】従来の冷風機能付き除湿機の断面図である。
【発明を実施するための形態】
【０００９】
以下、添付図面を参照しながら、本発明における除湿機の好ましい実施例を説明する。本実施例の除湿機１には、除湿機本体２の上面部２Ａから前面部２Ｂにかけて形成された第１の吹出口３と、背面部２Ｃの上部に形成された第２の吹出口４とを備えている。
【００１０】
また、第１の吹出口３には、ルーバー５が揺動自在に取り付けられており、使用者によってこのルーバー５を操作することで、第１の吹出口３から外部に吹き出される空気を任意の吹出方向に可変可能に構成されている。
【００１１】
さらに、除湿機本体２の背面部２Ｃには、第２の吹出口４の下方に上から凝縮器側の吸気口である第１の吸気口６、蒸発器側の吸気口である第２の空気口７の順で形成されるとともに、これら第１の吸気口６と第２の空気口７にはエアフィルタが介装されている。
【００１２】
ここで、図３を参照しながら、除湿機本体２の内部構造について説明する。本体２内部に圧縮機（図示せず）と凝縮器としてのコンデンサ８と蒸発器としてのエバポレータ９等からなる周知の冷凍サイクルと、蒸発器側送風手段としての第１の送風ファン１０と、第１の送風ファン１０側に設けられた蒸発器側切換手段としての第１のダンパー１１と、凝縮器側送風手段としての第２の送風ファン１２と、そして第２の送風ファン１２側に設けられた凝縮器側切換手段としての第２のダンパー１３を備えている。
【００１３】
また、除湿機本体２の略中央部分には、第１の送風ファン１０及び第２の送風ファン１２が配置される前面側と、エバポレータ９及びコンデンサ８が配置される背面側とに除湿機本体２内部を仕切る隔壁１４を備えている。この隔壁１４には、少なくともエバポレータ９側と第１の送風ファン１０側との間で空気が流通可能な通気孔（図示せず）と、コンデンサ８側と第２の送風ファン１２との間で空気が流通可能な通気孔（図示せず）を備えているものとする。
【００１４】
さらに、隔壁１４の前面側には、第１の送風ファン１０の外周に渦巻き状に立設され、上部に第１の吹出口３と連通する蒸発器側開口部１５を有する蒸発器側スクロール部１６と、第２の送風ファン１２の外周に渦巻き状に立設され、上部に第１の吹出口３と連通する凝縮器側開口部１７を有する凝縮器側スクロール部１８とがそれぞれ略垂直に立設されている。
【００１５】
ここで、第１の送風ファン１０と蒸発器側スクロール部１６との隙間には、エバポレータ９側からの空気が流通可能な蒸発器側送風経路１９が形成されており、また第２の送風ファン１２と凝縮器側スクロール部１８との隙間にも、コンデンサ８側からの空気が流通可能な凝縮器側送風経路２０が形成される。
【００１６】
ここで、前記蒸発器側送風経路１９とは、第１の送風ファン１０によって第２の空気口７、エバポレータ９、そして蒸発器側スクロール部１６を経由して第１の吹出口３又は第２の吹出口４へと導かれる空気が流通する経路のことであり、前記凝縮器側送風経路２０とは、第２の送風ファン１２によって第１の吸気口６、コンデンサ８、そして凝縮器側スクロール部１８を経由して第１の吹出口３又は第２の吹出口４へと導かれる空気が流通する経路のことである。
【００１７】
さらに、この隔壁１４の上部に形成された貫通部２１は、各スクロール部１６,１８の上部の共通部分２２を境界として、蒸発器側送風経路１９及び凝縮器側送風経路２０とそれぞれ連通可能な蒸発器側貫通部２３及び凝縮器側貫通部２４に仕切られており、水平方向と平行に形成された複数の案内板２５によって、各送風経路１９,２０からの空気を第２の吹出口４へ流通可能に構成されている。
【００１８】
案内板２５におけるエバポレータ９側のさらに背面部２Ｃ側には、矩形状に切り欠いて形成された切欠部２６を備えている。
【００１９】
ここで前記第１のダンパー１１は、隔壁１４の上端部右側に垂直方向に回動自在に枢設されて、蒸発器側開口部１５及び蒸発器側貫通部２３とを選択的に開閉可能に設けられたことにより、蒸発器側送風経路１９からの空気の吹出口を第１の吹出口３又は第２の吹出口４に切り換え可能にするものである。また、第２のダンパー１３は、隔壁１４の上端部左側に垂直方向に回動自在に枢設されて、凝縮器側開口部１７及び凝縮機側貫通部２４とを選択的に開閉可能に設けられたことにより、凝縮器側送風経路２０からの空気の吹出口を第１の吹出口３又は第２の吹出口４に切り換え可能にするものである。
【００２０】
第２のダンパー１３には、ダンパー本体下部の一部を凝縮器側スクロール部１８の壁面形状に合わせて切り欠き、その切り欠き部分にヒンジ部２７を介して上下方向に揺動可能に枢設された折畳片２８が設けられている。
【００２１】
また、本体２の上面部２Ａに設けられた操作部２９には、運転モードを切換えるスイッチ（図示せず）が取り付けられており、このスイッチを操作することで、制御手段（図示せず）を介して第１のダンパー１１及び第２のダンパー１３それぞれの例えばモータ等の駆動手段（図示せず）の制御を行い、第１のダンパー１１及び第２のダンパー１３の回動動作を制御して、第１の吹出口３から出る吹き出し風を冷風のみ、温風のみ、あるいは冷風と温風の両方というように切換え可能に構成している。
【００２２】
このように本実施例の除湿機１では、操作部２９に備えたスイッチ（図示せず）によって、前述の運転モードを冷風運転モード、温風運転モード、通常除湿運転モードに選択可能に設けられている。以下に各運転モードの説明を行う。
【００２３】
まず、冷風運転モードでは、第１のダンパー１１によって蒸発器側貫通部２３を閉塞して、第２のダンパー１３によって凝縮器側開口部１７を閉塞することにより、第１の吹出口３から蒸発器側送風経路１９からの空気（冷風）を排出し、第２の吹出口４から凝縮器側送風経路２０からの空気（温風）を排出するものである。
【００２４】
次に、温風運転モードでは、第１のダンパー１１によって蒸発器側開口部１５を閉塞して、第２のダンパー１３によって凝縮器側貫通部２４を閉塞することにより、第１の吹出口３から凝縮器側送風経路２０からの空気（温風）を排出し、第２の吹出口４から蒸発器側送風経路１９からの空気（冷風）を排出するものである。
【００２５】
ここで温風運転モードでは、第１のダンパー１１によって蒸発器側開口部１５を閉塞されることにより、蒸発器側送風経路１９を流通する空気（冷風）を第１のダンパー１１、蒸発器側貫通部２３、案内板２５、そして切欠部２６の順に流通させて、その出口である切欠部２６から出たその空気（冷風）を凝縮器側送風経路２０の上流側に合流させるバイパス経路３０が形成される。
【００２６】
続いて、除湿運転モードでは、第１のダンパー１１によって蒸発器側貫通部２３又は蒸発器側開口部１５を適宜閉塞して、第２のダンパー１３によって凝縮器側貫通部２４又は凝縮器側開口部１７を適宜閉塞することにより、第１の吹出口３から蒸発器側送風経路１９からの空気（冷風）又は凝縮器側送風経路２０からの空気（温風）、或いは前記冷風と前記温風の両方からなる任意の風を排出するものである。
【００２７】
上記の構成の除湿機１の作用について説明する。操作部２９を操作して運転の開始を指示すると、制御手段（図示せず）によって冷凍サイクルの圧縮機（図示せず）、第１の送風ファン１０及び第２の送風ファン１２が駆動して、除湿機１の運転が開始する。運転時には、駆動した第１の送風ファン１０によって、第２の吸気口７から取り込まれた室内空気がエバポレータ９に触れて冷却除湿され、蒸発器側送風経路１９を経由して第１の吹出口３又は第２の吹出口４から除湿後の乾燥冷風として排出される。
【００２８】
また駆動した第２の送風ファン１２によって、第１の吸気口６から取り込まれた室内空気がコンデンサ８で加温され、凝縮器側送風経路２０を経由して第１の吹出口３又は第２の吹出口４から温風として排出される。そして、このエバポレータ９にて除湿された結露水は、除湿機１下部に備えたタンク（図示せず）へ排出される。
【００２９】
続いて、操作部２９を操作して除湿機１の運転モードを切換えた場合について説明する。冷風運転モードを選択した場合、第１の吹出口３からエバポレータ９を通過した冷風が排出されて、第２の吹出口４からコンデンサ８を通過した温風が排出される。
【００３０】
この冷風運転モードでは、使用者が第１の吹出口３に近付くことで、第１の吹出口３から吹き出される冷風によって使用者にスポット冷却的に冷涼感を与えることができる。
【００３１】
次に、温風運転モードを選択した場合、第１の吹出口３からコンデンサ８を通過した温風が排出されて、第２の吹出口４からはエバポレータ９を通過した冷風が排出される。
【００３２】
この温風運転モードでは、第１の吹出口３から吹き出される温風によって洗濯物等の乾燥を行うことができる。
【００３３】
さらに、除湿運転モードを選択した場合、第１の吹出口３からはエバポレータ９を通過した冷風、コンデンサ８を通過した温風、前記冷風及び温風が排出される。
【００３４】
この除湿運転モードでは、室内の湿度を適度な湿度にコントロールすることができる。
【００３５】
ここで、温風運転モードでは、エバポレータ９を通過して冷却された空気（冷気）がバイパス経路３０を経由して凝縮器側送風経路２０の上流側へ合流するため、凝縮器側送風経路２０の上流側では、このバイパス経路３０を経由して合流してきた空気（冷気）によって第１の吸気口６より取り込まれた室内空気が冷却されることとなる。
【００３６】
このように、温風運転モードでは、凝縮器側送風経路２０内で室内温度より低い温度の空気とコンデンサ８とを熱交換を行わせることで、室内温度の空気とコンデンサ８とが熱交換する場合と比べて、凝縮器側送風経路２０内での空気とコンデンサ８との温度差を大きくすることで、高い冷却効果によってコンデンサ８を冷却することができる。
【００３７】
そして、温風運転モードにおけるコンデンサ８の冷却効果を高めることにより、除湿機本体２内の冷凍サイクル、第１及び第２の送風ファン１０,１２からなる除湿部の性能を最大限に発揮することが可能となり、洗濯物等の被乾燥対象物を素早く乾かすために要求される最大除湿能力を発揮することが可能となる。
【００３８】
そのため、上記図６に示すような従来の冷風機能付き除湿機１０１の構造では、蒸発器１０２を通過した冷却空気Ｆ３は外部に冷風として排出されるため、凝縮器１０３の冷却に使用できず、蒸発器を通過した冷却空気を凝縮器の冷却に用いる従来の単機能除湿機と比較すると、凝縮器１０３の冷却用の空気は室内温度の風で冷却されるため、単機能除湿機と比較すると約１．５倍のサイズの凝縮器が必要となっているが、本実施例の除湿機１では、温風運転モード時、エバポレータ９を通過後の冷却された空気（図中、矢印Ｆ１）の一部（図中、矢印Ｆ２）をバイパス経路３０を経由させてコンデンサ８の上流側の凝縮器側送風経路２０にバイパスするため、単機能除湿機と同様にエバポレータ９を通過した冷却空気でコンデンサ８を冷却する効果を得ることができ、コンデンサ８のサイズも従来の冷風機能付き除湿機と比較して小型化することが可能となる。
【００３９】
本実施例は請求項１に対応しており、除湿機１の本体２に第１の吹出口３と第２の吹出口４を備え、前記本体２内部に凝縮器としてのコンデンサ８と蒸発器としてのエバポレータ９からなる冷凍サイクルと、蒸発器側送風手段としての第１の送風ファン１０と、蒸発器側切換手段としての第１のダンパー１１と、凝縮器側送風手段としての第２の送風ファン１２と、凝縮器側切換手段としての第２のダンパー１３とを備え、エバポレータ９とコンデンサ８の送風経路として蒸発器側送風経路１９と凝縮器側送風経路２０をそれぞれ独立して設け、第１及び第２の送風ファン１０,１２により室内の空気で熱交換し、エバポレータ９側で熱交換した空気は冷風、コンデンサ８側で熱交換した空気は温風として第１の吹出口３あるいは第２の吹出口４から本体２外へ排出する除湿機１において、蒸発器側送風経路１９のエバポレータ９の下流側に凝縮器送風経路２０のコンデンサ８の上流側に合流するバイパス経路３０を設けたものである。
【００４０】
この場合、特定の運転モードである、温風運転モードにおいて、エバポレータ９で熱交換によって冷却された空気Ｆ１の一部Ｆ２をバイパス経路３０を介して凝縮器側送風経路２０におけるコンデンサ８の上流側に導入することで、コンデンサ８のサイズを大型化することなく効果的に熱交換して冷却し、除湿能力を確保することができるので、製品の小型化及びコスト削減を図ることができる。
【００４１】
なお、本発明は上記実施例に限定されるものではなく、本発明の要旨の範囲内において種々の変形実施が可能である。例えば、上記冷凍サイクルの構成についても凝縮器（コンデンサ８）、蒸発器（エバポレータ９）、圧縮機を備えたものであれば特に限定されるものではない。また、バイパス経路３０についても、蒸発器側貫通部２３から案内板２５の切欠部２６を経由して凝縮器側送風経路２０の上流側へ空気を導入する構成以外にも、蒸発器側貫通部２３と凝縮器側送風経路２０の上流側とを繋ぐチューブ等の管状体によってエバポレータ９を通過した空気を凝縮器側送風経路２０の上流側へ導入する構成としてもよく、この他にも適宜変更可能である。
【符号の説明】
【００４２】
１  除湿機
２  本体
８  コンデンサ（凝縮器）
９  エバポレータ（蒸発器）
１９  蒸発器側送風経路
２０  凝縮器側送風経路
３０  バイパス経路
【図１】
2010194403.tif 000003
【図２】
2010194403.tif 000004
【図３】
2010194403.tif 000005
【図４】
2010194403.tif 000006
【図５】
2010194403.tif 000007
【図６】
2010194403.tif 000008